(57)【要約】  画像表示領域内の表示画像の処理方法、表示画像処理装置、表示装置及び記憶媒体を提供する。前記画像表示領域（１０３）の一部又は全部は移動可能領域（１０２）であり、前記表示画像の処理方法は、移動可能領域（１０２）が第１位置から第２位置までに移動した場合、移動可能領域（１０２）が第１位置にあるときの画像表示領域（１０３）に表示された表示画像の第１画像特徴値を取得するステップと、移動可能領域（１０２）が第２位置にあるときの画像表示領域（１０３）に表示された表示画像の第２画像特徴値を取得するステップと、第１画像特徴値と第２画像特徴値とに基づいて、画像表示領域（１０３）に表示された表示画像が静止画であるか否かを判断するステップと、を含む。前記表示画像の処理方法は、画像の回転状態で存在している静止画を判断することができ、ディスプレイに現れる残像を回避することができる。これにより、ディスプレイの耐用年数を延ばさせることができる。【選択図】図２
2021518000.tif 000002
【特許請求の範囲】
【請求項１】
一部又は全部が移動可能領域である画像表示領域内の表示画像の処理方法であって、
前記移動可能領域が第１位置から第２位置までに移動した場合、
前記移動可能領域が前記第１位置にあるときの前記画像表示領域に表示された表示画像の第１画像特徴値を取得するステップと、
前記移動可能領域が前記第２位置にあるときの前記画像表示領域に表示された表示画像の第２画像特徴値を取得するステップと、
前記第１画像特徴値と前記第２画像特徴値とに基づいて、前記画像表示領域に表示された表示画像が静止画であるか否かを判断するステップと、を含む表示画像の処理方法。
【請求項２】
前記第１画像特徴値と前記第２画像特徴値とに基づいて、前記画像表示領域に表示された表示画像が静止画であるか否かを判断するステップは、
前記第１画像特徴値と前記第２画像特徴値とが等しいか否かを判断するステップと、
前記第１画像特徴値と前記第２画像特徴値とが等しい場合、前記画像表示領域に表示された表示画像が静止画であると決定するステップと、を含む、請求項１に記載の表示画像の処理方法。
【請求項３】
しきい値パラメータを設定するステップをさらに含み、
前記第１画像特徴値と前記第２画像特徴値とに基づいて、前記画像表示領域に表示された表示画像が静止画であるか否かを判断するステップは、
前記第１画像特徴値と前記第２画像特徴値との差の絶対値を計算するステップと、
前記差の絶対値が前記しきい値パラメータよりも大きい場合、前記画像表示領域に表示された表示画像が非静止画であると決定するステップと、
前記差の絶対値が前記しきい値パラメータ以下である場合、前記画像表示領域に表示された表示画像が静止画であると決定するステップと、を含む、請求項１に記載の表示画像の処理方法。
【請求項４】
前記移動可能領域が前記第１位置から前記第２位置までに移動することは、
前記移動可能領域を前記第１位置から第１方向においてＭ個の画素歩幅で移動させるステップを含み、
Ｍは０より大きい整数である、請求項３に記載の表示画像の処理方法。
【請求項５】
前記移動可能領域は前記第１方向に沿って移動する最大歩幅がｎ行又はｎ列の画素である場合、前記しきい値パラメータは、前記最大歩幅と前記画像表示領域内の各行又は各列の画素における平均画像特徴値との積であり、
ｎは０より大きい整数である、請求項４に記載の表示画像の処理方法。
【請求項６】
少なくとも２つの移動周期を含み、
第Ｎの移動周期及び第Ｎ＋１の移動周期のそれぞれは、１対１に対応するＸフレームの表示画像を含み、
前記第Ｎ＋１の移動周期内の第ｘのフレームの表示画像が位置される画像表示領域の位置と前記第Ｎの移動周期内の第ｘのフレームの表示画像が位置される画像表示領域の位置とが同じであり、ｘは０より大きく且つＸ以下の整数であり、Ｎは０より大きい整数であり、Ｘは０より大きい整数である、請求項１に記載の表示画像の処理方法。
【請求項７】
前記第１画像特徴値は前記第Ｎの移動周期内の各フレームの表示画像の画像特徴値であり、
前記第２画像特徴値は前記第Ｎ＋１の移動周期内の各フレームの表示画像の画像特徴値である、請求項６に記載の表示画像の処理方法。
【請求項８】
前記第１画像特徴値と前記第２画像特徴値とに基づいて、前記画像表示領域に表示された表示画像が静止画であるか否かを判断するステップは、
前記第Ｎの移動周期内の各フレームの表示画像の画像特徴値と前記第Ｎ＋１の移動周期内の各フレームの表示画像の画像特徴値とが１対１に対応して等しいか否かを判断するステップと、
前記第Ｎの移動周期内の各フレームの表示画像の画像特徴値と前記第Ｎ＋１の移動周期内の各フレームの表示画像の画像特徴値とが１対１に対応して等しい場合、前記画像表示領域に表示された表示画像が静止画であると決定するステップと、
前記第Ｎの移動周期内の各フレームの表示画像の画像特徴値と前記第Ｎ＋１の移動周期内の各フレームの表示画像の画像特徴値とがいずれも１対１に対応して等しいのではない場合、前記画像表示領域に表示された表示画像が非静止画であると決定するステップと、を含む、請求項７に記載の表示画像の処理方法。
【請求項９】
前記移動周期は、前記移動可能領域が前記第１位置から移動し再び前記第１位置に戻るのにかかる時間である、請求項６〜８のいずれか１項に記載の表示画像の処理方法。
【請求項１０】
前記第１画像特徴値は、前記画像表示領域に表示された表示画像の輝度値又はグレースケール値であり、前記第２画像特徴値は、前記画像表示領域に表示された表示画像の輝度値又はグレースケール値である、請求項１〜９のいずれか１項に記載の表示画像の処理方法。
【請求項１１】
前記画像表示領域は、前記移動可能領域の、画像回転中においてディスプレイからはみ出ない部分である、請求項１〜１０のいずれか１項に記載の表示画像の処理方法。
【請求項１２】
前記表示画像が前記静止画であると決定された場合、前記画像表示領域の表示輝度を低下させるステップをさらに含む、請求項１〜１１のいずれか１項に記載の表示画像の処理方法。
【請求項１３】
表示画像処理装置であって、
プロセッサと、
メモリと、
１つ又は複数のコンピュータプログラムモジュールと、を備え、
前記１つ又は複数のコンピュータプログラムモジュールは、前記メモリに記憶されており、前記プロセッサにより実行されるように構成され、前記１つ又は複数のコンピュータプログラムモジュールは前記プロセッサにより実行されて請求項１〜１２のいずれか１項に記載の表示画像の処理方法を実現するための指令を含む、表示画像処理装置。
【請求項１４】
請求項１３に記載の表示画像処理装置を備える、表示装置。
【請求項１５】
記憶媒体であって、
コンピュータ読み取り可能な指令が非一時的に記憶されており、前記コンピュータ読み取り可能な指令がコンピュータにより実行されると、請求項１〜１２のいずれか１項に記載の表示画像の処理方法を実現する、記憶媒体。
【発明の詳細な説明】
【技術分野】
【０００１】
本願は、２０１８年４月１０日に提出された中国特許出願第２０１８１０３１７０３２．２号の優先権を主張し、上記中国特許出願に開示される全内容は本願の一部として援用されている。
【０００２】
本開示の実施例は、画像表示領域に表示された表示画像の処理方法、表示画像処理装置、表示装置及び記憶媒体に関する。
【背景技術】
【０００３】
ＯＬＥＤ（Ｏｒｇａｎｉｃ  Ｌｉｇｈｔ−Ｅｍｉｔｔｉｎｇ  Ｄｉｏｄｅ）ディスプレイは、全固体で、アクティブ発光型ディスプレイである。ＯＬＥＤディスプレイは、高輝度、高コントラスト、超薄型および超軽量、低消費電力、視野角制限なし、広い動作温度範囲などの特性を有するので、新興の次世代ディスプレイとして期待される。
【発明の概要】
【０００４】
本開示の少なくとも一実施例は、一部又は全部が移動可能領域である画像表示領域内の表示画像の処理方法を提供し、
前記移動可能領域が第１位置から第２位置までに移動した場合、
前記移動可能領域が前記第１位置にあるときの前記画像表示領域に表示された表示画像の第１画像特徴値を取得するステップと、
前記移動可能領域が前記第２位置までにあるときの前記画像表示領域に表示された表示画像の第２画像特徴値を取得するステップと、
前記第１画像特徴値と前記第２画像特徴値とに基づいて、前記画像表示領域に表示された表示画像が静止画であるか否かを判断するステップと、を含む。
【０００５】
たとえば、本開示の一実施例による表示画像の処理方法において、前記第１画像特徴値と前記第２画像特徴値とに基づいて、前記画像表示領域に表示された表示画像が静止画であるか否かを判断する前記ステップは、
前記第１画像特徴値と前記第２画像特徴値とが等しいか否かを判断するステップと、
前記第１画像特徴値と前記第２画像特徴値とが等しい場合、前記画像表示領域に表示された表示画像が静止画であると決定するステップと、を含む。
【０００６】
たとえば、本開示の一実施例による表示画像の処理方法において、しきい値パラメータを設定するステップをさらに含む。前記第１画像特徴値と前記第２画像特徴値とに基づいて、前記画像表示領域に表示された表示画像が静止画であるか否かを判断する前記ステップは、
前記第１画像特徴値と前記第２画像特徴値との差の絶対値を計算するステップと、
前記差の絶対値が前記しきい値パラメータよりも大きい場合、前記画像表示領域に表示された表示画像が非静止画であると決定するステップと、
前記差の絶対値が前記しきい値パラメータ以下である場合、前記画像表示領域に表示された表示画像が静止画であると決定するステップと、を含む。
【０００７】
たとえば、本開示の一実施例による表示画像の処理方法において、前記移動可能領域が前記第１位置から前記第２位置までに移動することは、
前記移動可能領域を前記第１位置から第１方向に沿ってＭ個の画素歩幅（画素ステップ）で移動させるステップを含み、
Ｍは０より大きい整数である。
【０００８】
たとえば、本開示の一実施例による表示画像の処理方法において、前記移動可能領域は前記第１方向に沿って移動する最大歩幅（最大ステップ）がｎ行又はｎ列の画素である場合、前記しきい値パラメータは、前記最大歩幅と前記画像表示領域内の各行又は各列の画素における平均画像特徴値との積であり、
ｎは０より大きい整数である。
【０００９】
たとえば、本開示の一実施例による表示画像の処理方法において、少なくとも２つの移動周期を含み、
第Ｎの移動周期及び第Ｎ＋１の移動周期はそれぞれ１対１に対応するＸフレームの表示画像を含み、
前記第Ｎ＋１の移動周期内の第ｘフレームの表示画像が位置される画像表示領域の位置と前記第Ｎの移動周期内の第ｘフレームの表示画像が位置される画像表示領域の位置とが同じであり、
ｘは０より大きく且つＸ以下の整数であり、Ｎは０より大きい整数であり、Ｘは０より大きい整数である。
【００１０】
たとえば、本開示の一実施例による表示画像の処理方法において、前記第１画像特徴値は前記第Ｎの移動周期内の各フレームの表示画像の画像特徴値であり、
前記第２画像特徴値は前記第Ｎ＋１の移動周期内の各フレームの表示画像の画像特徴値である。
【００１１】
たとえば、本開示の一実施例による表示画像の処理方法において、前記第１画像特徴値と前記第２画像特徴値とに基づいて、前記画像表示領域に表示された表示画像が静止画であるか否かを判断する前記ステップは、
前記第Ｎの移動周期内の各フレームの表示画像の画像特徴値と前記第Ｎ＋１の移動周期内の各フレームの表示画像の画像特徴値とが１対１に対応して等しいか否かを判断するステップと、
前記第Ｎの移動周期内の各フレームの表示画像の画像特徴値と前記第Ｎ＋１の移動周期内の各フレームの表示画像の画像特徴値とが１対１に対応して等しい場合、前記画像表示領域に表示された表示画像が静止画であると決定するステップと、
前記第Ｎの移動周期内の各フレームの表示画像の画像特徴値と前記第Ｎ＋１の移動周期内の各フレームの表示画像の画像特徴値とがいずれも１対１に対応して等しいのではない場合、前記画像表示領域に表示された表示画像が非静止画であると決定するステップと、を含む。
【００１２】
たとえば、本開示の一実施例による表示画像の処理方法において、前記移動周期は、前記移動可能領域が前記第１位置から移動し、再び前記第１位置に戻るのにかかる時間である。
【００１３】
たとえば、本開示の一実施例による表示画像の処理方法において、前記第１画像特徴値前記画像表示領域に表示された表示画像の輝度値又はグレースケール値であり、前記第２画像特徴値は、前記画像表示領域に表示された表示画像の輝度値又はグレースケール値である。
【００１４】
たとえば、本開示の一実施例による表示画像の処理方法において、前記画像表示領域は、前記移動可能領域の、画像回転中に表示画面からはみ出ない部分である。
【００１５】
たとえば、本開示の一実施例による表示画像の処理方法において、前記表示画像が前記静止画であると決定する場合、前記画像表示領域の表示輝度を低下させるステップをさらに含む。
【００１６】
本開示の少なくとも一実施例は、プロセッサと、メモリと、１つ又は複数のコンピュータプログラムモジュールと、を備える表示画像処理装置をさらに提供する。前記１つ又は複数のコンピュータプログラムモジュールは、前記メモリに記憶されており、前記プロセッサにより実行されるように構成され、前記１つ又は複数のコンピュータプログラムモジュールは、前記プロセッサにより実行されて本開示のいずれかの実施例による表示画像の処理方法を実現するための指令を含む。
【００１７】
本開示の少なくとも一実施例は、本開示のいずれかの実施例による表示画像処理装置を備える表示装置をさらに提供する。
【００１８】
本開示の少なくとも一実施例は、コンピュータ読み取り可能な指令を非一時的に記憶しており、前記非一時的なコンピュータ読み取り可能な指令は、コンピュータにより実行されると、本開示のいずれかの実施例による表示画像の処理方法を実現する記憶媒体を提供する。
【図面の簡単な説明】
【００１９】
本開示の実施例の技術案をより明確に説明するために、以下、実施例の図面を簡単に説明するが、明らかなように、以下説明される図面は、本開示を限定するのではなく、本開示のいくつかの実施例に関するものに過ぎない。
【図１Ａ】図１Ａはディスプレイに表示された画像１の模式図である。
【図１Ｂ】図１Ｂはディスプレイが表示すべき画像２の模式図である。
【図１Ｃ】図１Ｃはディスプレイに実際に表示された画像２の模式図である。
【図２】図２は本開示のいくつかの実施例による画像表示領域に表示された表示画像の処理方法のフローチャートである。
【図３】図３は一ＯＬＥＤの画像表示領域の模式図である。
【図４Ａ】図４Ａは本開示のいくつかの実施例による表示画像の処理方法における移動軌跡の模式図である。
【図４Ｂ】図４Ｂは本開示のいくつかの実施例による表示画像の処理方法において表示画像が第１位置にある場合の模式図である。
【図４Ｃ】図４Ｃは本開示のいくつかの実施例による表示画像の処理方法において表示画像が図４Ａに示す移動軌跡に従って第２位置に移動された場合の模式図である。
【図５】図５は表示画像の処理方法における図２に示すステップＳ１４０の一例のフローチャートである。
【図６】図６は表示画像の処理方法における図２に示すステップＳ１４０の別の例のフローチャートである。
【図７】図７は表示画像の処理方法における図２に示すステップＳ１４０のさらに別の例のフローチャートである。
【図８Ａ−８Ｄ】図８Ａ〜図８Ｄは画像回転中において表示画像が４つの限界位置に移動された模式図である。
【図９】図９は本開示のいくつかの実施例による表示画像処理装置の模式図である。
【図１０】図１０は本開示のいくつかの実施例による表示装置の模式図である。
【図１１】図１１は本開示のいくつかの実施例による記憶媒体の模式図である。
【発明を実施するための形態】
【００２０】
本開示の実施例の目的、技術案及び利点をより明確にするために、以下、本開示の実施例の図面を参照して、本開示の実施例の技術案を明確かつ完全に説明する。もちろん、説明される実施例は、本開示の一部の実施例であり、すべての実施例ではない。本開示の説明される実施例に基づいて、創造的な努力を必要とせずに当業者によって得られる他の実施例はすべて、本開示の特許範囲に属する。
【００２１】
特に定義されていない限り、ここで使用される技術用語又は科学用語は、当業者によって理解される通常の意味を持つものである。本開示で使用される「第１」、「第２」及び類似の用語は、順序、数量又は重要性を示さず、異なる構成要素を区別するために使用される。同様に、「１つ」、「一」や「該」などのような用語は、数量を制限するものではなく、少なくとも１つが含まれることを意味する。「含む」又は「備える」などのような用語は、この用語の前に記載される要素又は物品が、この用語の後に挙げられる要素又は物品及びその同等物をカバーするが、他の要素又は物品を除外しないことを意味する。「接続」又は「繋がる」などのような用語は、物理的又は機械的接続に限定されず、直接又は間接にかかわらず、電気的接続を含むことができる。「上」、「下」、「左」、「右」などは、相対的な位置関係を示すためにのみ使用され、説明される対象の絶対位置が変化すると、相対的な位置関係もその分変化する場合がある。
【００２２】
以下、図面を参照しながら本開示の各実施例を詳細に説明する。なお、図面において、基本的に同一又は同等の構造及び機能を有する構成要素については、同一の参照符号を付して、重複する説明を省略する。
【００２３】
ＯＬＥＤ（Ｏｒｇａｎｉｃ  Ｌｉｇｈｔ−Ｅｍｉｔｔｉｎｇ  Ｄｉｏｄｅ）表示技術は、表示残像という問題がある。ディスプレイが長時間にわたって同一の画像を表示する場合、現在の表示画像が次の画像に切り替えられる時、元の画像が部分的に次の画像に残留されるという現象は、残像と呼ばれる。残像が生じる理由の１つは、ＯＬＥＤ画素におけるトランジスタのしきい値電圧（Ｖｔｈ）のドリフトにある。異なる表示段階において異なる表示グレースケールによりトランジスタのドレインを流れる電流が異なるため、ＯＬＥＤ画素におけるトランジスタのしきい値電圧（Ｖｔｈ）にはさまざまな程度のドリフトが発生することにより、表示画面に残像が発生しまう。軽微な場合においてこの残像が経時的になくなるが、静止画像が長時間にわたって表示される又は長期的に蓄積されると、ディスプレイへの不可逆的な損傷をもたらすことがある。
【００２４】
ＬＣＤ（Ｌｉｑｕｉｄ  Ｃｒｙｓｔａｌ  Ｄｉｓｐｌａｙ）表示技術にも残像の問題がある。その残像が生じる理由の１つは、液晶層における不純物イオン（たとえば、シーラントなどから由来）が液晶層の一方側に集まることによる分極にある。この分極は、液晶分子の偏向方向に影響して、対応する画素のグレースケールに影響を与えることにより、残像を引き起こしまう。
【００２５】
たとえば、図１Ａはディスプレイに表示された画像１の模式図であり、図１Ｂはディスプレイが表示すべき画像２の模式図であり、図１Ｃはディスプレイに実際に表示された画像２の模式図である。ディスプレイには画像１たとえば図１Ａに示す市松模様の画像が長時間表示された後に、ディスプレイに表示されている画像が新しい画像２たとえば図１Ｂに示すグレーが１２７とされた画像に切り替えられたとしても、図１Ａに示された画像１である市松模様の画像が部分的に残留され、図１Ｃに示すように、それは表示残像である。
【００２６】
画像を回転させることは残像をなくすために一般的に使用される方法であるが、画像の過度の回転による表示効果への損傷を回避するために、通常、画像の回転範囲があまり大きくない。しかし、静止画を表示する画像表示領域のサイズが一般的に画像の回転範囲よりも大幅に大きく、且つ多数の応用シナリオ（たとえば待機画面、メインログインページなどの表示）において表示画像の隣り合う画素同士の内容が類似するため、場合によっては画像を回転させることによっても静止画による残像という問題を効果的に解決できない。したがって、画像の回転状態で存在している静止画に対して判断を行い、判断結果に応じて残像を回避するための取り組みをする必要がある。
【００２７】
本開示の一実施例は、画像表示領域内の表示画像の処理方法を提供し、該画像表示領域の一部又は全部は移動可能領域である。該表示画像の処理方法は、移動可能領域が第１位置から第２位置までに移動された場合、移動可能領域が第１位置にあるときの、画像表示領域に表示された表示画像の第１画像特徴値を取得するステップと、移動可能領域が第２位置にあるときの、画像表示領域に表示された表示画像の第２画像特徴値を取得するステップと、第１画像特徴値と第２画像特徴値とに基づいて、画像表示領域に表示された表示画像が静止画であるか否かを判断するステップと、を含む。
【００２８】
本開示の少なくとも一実施例は、該表示画像の処理方法に対応する表示画像処理装置、表示装置及び記憶媒体をさらに提供する。
【００２９】
該表示画像の処理方法は、静止画を判断するための領域を合理的に選択することによって、画像の回転状態で存在している静止画に対して判断することができるため、画像の回転状態でディスプレイに現れる残像を回避できる。これにより、残像によるディスプレイへの損傷を回避し、ディスプレイの耐用年数を延ばすことができる。
【００３０】
以下、図面を参照しながら本開示の実施例を詳細に説明する。
【００３１】
本開示の一実施例は、画像表示領域内の表示画像の処理方法を提供し、該表示画像の処理方法は、たとえばＯＬＥＤ表示装置に適用できる。図２に示すように、該表示画像の処理方法は、ステップＳ１１０〜ステップＳ１４０を含む。たとえば、該画像表示領域の一部又は全部は、残像を回避するための画像回転動作を行う移動可能領域である。以下、図２を参照しながら本開示の実施例による表示画像の処理方法を説明する。
【００３２】
ステップＳ１１０では、移動可能領域は第１位置から第２位置までに移動する。
【００３３】
該ステップは画像を回転させる過程である。たとえば、この過程は、上記移動可能領域が移動する過程であってもよい。たとえば、上記移動可能領域は、上記画像表示領域の全部又は一部であってもよい。
【００３４】
表示装置の表示画面は表示の出力に用いられ得る。上記方法では、該表示画面の全体を画像表示領域となり、又は必要に応じて表示画面の一部を画像表示領域となる。表示装置の表示画面は、たとえばさまざまな解像度、たとえば６４０×４８０、１０２４×７６８、１６００×１２００などを使用できるように構成される。本開示の実施例では、画像表示領域は、全体として処理されてもよく、複数の領域に分けられて複数の領域のうち一つを選択して処理されてもよい。
【００３５】
たとえば、ＯＬＥＤディスプレイの画像表示領域２００は、図３に示すように、３×３に配列される、それぞれがＡ、Ｂ、Ｃ…Ｈ、Ｉとする９個の画像表示領域に分けられる。たとえば、ＯＬＥＤディスプレイの表示画面が開始ウェルカムインターフェースに留まる場合、画像表示領域２００の全体は一つの静止画像を表示する。この場合、静止画像を長時間にわたっても変化させなく、所定時間、たとえば１０〜３０分間過ぎても表示画像に対する何らかの操作が行われないと、表示画面には残像が発生しやすくなり、その結果、ディスプレイへの損傷をもたらす。この場合、画像表示領域の全体を移動可能領域とすることができる。
【００３６】
また、たとえば、図３に示すように、ＯＬＥＤディスプレイの表示画面がアプリケーションインターフェース、たとえばナビゲーションアプリケーションインターフェースに切り替えられると、この時、ナビゲーション操作のインジケータ画像を固定的に表示するための画像表示領域Ａ、Ｂ、Ｃ、Ｄ、Ｇには固定的な静止画像が表示され、その他の領域Ｅ、Ｆ、Ｈ、Ｉには、位置情報に応じて表示画像をリアルタイムに更新するナビゲーションマップ情報、すなわち、動画が表示されている。この場合、残像を回避するために、領域Ａ、Ｂ、Ｃ、Ｄ、Ｇのうち１つ又は全部を本例による表示画像の処理方法に操作される移動可能領域とすることができる。
【００３７】
なお、画像表示領域内の移動可能領域は、外形が規則的なものに制限されず、外形が規則的ではないものとしてもよい。本開示の実施例では、画像表示領域の全体を上記方法における移動可能領域とする場合を例にして説明するが、以下の実施例においても同様であるため、重複する説明を省略する。たとえば、図４Ｂに示すように、移動可能領域１０２は、画像回転操作前の表示画面１０１の全体に表示された全画面である画像表示領域の全体とされてもよい。なお、説明の便宜上、図４Ｂに示す移動可能領域１０２のサイズは表示画面１０１のサイズよりもわずかに小さい。
【００３８】
本開示の実施例による表示画像の処理方法では、たとえば、上記第１位置は画像回転前の位置であり、上記第２位置は画像回転後の位置である。なお、上記第２位置は、移動可能領域が第１位置から一回移動した位置、即ち第１位置に隣接する位置であってもよく、複数回移動した位置であってもよく、たとえば、複数回移動して第１位置に戻ってもよく、本開示の実施例では、それについて制限しない。
【００３９】
たとえば、図４Ｂ及び図４Ｃに示す画像表示領域１０３は、移動可能領域１０２の、画像回転中に表示画面１０１から終始はみ出ない部分であり、該画像表示領域に表示された表示画像に対して静止画であるか否かが判断される。たとえば、一例では、図４Ｂにおける該画像表示領域１０３の位置を移動可能領域１０２の第１位置とされ、図４Ｃにおける該画像表示領域１０３の位置を移動可能領域１０２の第２位置とされる。なお、画像回転中において、移動可能領域１０２が移動すると、該画像表示領域１０３のサイズが一定に維持されるが、その位置が対応して変化する。
【００４０】
たとえば、図４Ｂ及び図４Ｃに示すように、移動可能領域１０２は、第１位置から第２位置までに移動し、つまり、図４Ｂに示す位置から図４Ｃに示す矢印１の方向に沿って図４Ｃに示す位置に移動した。たとえば、移動可能領域１０２を第１位置から第１方向に沿ってＭ（Ｍは０より大きい整数である）個の画素歩幅で移動させることにより、画像表示領域１０３を図４Ｃに示す第２位置までに移動させるようにする。
【００４１】
なお、本開示の各実施例では、たとえば、図４Ａに示すように、移動方向の説明の便宜上、移動可能領域の移動開始時の初期位置を表す原点ＯでＸ軸とＹ軸とが交差するデカルト座標系（バーチャル）が作成される。図４Ａには、Ｘ軸、Ｙ軸に平行する複数の破線がそれぞれ作成され、これら破線は、それぞれ交差して図４Ａに示す領域を複数の正方形領域に分割する。これら破線の交差点は、画素点であり、正方形の辺長は、１単位の画素歩幅として定義される。移動可能領域の移動を説明する際には、移動可能領域内の１つのサブ画素を対象として説明するが、その他のサブ画素は同様である。さらに、１つのサブ画素が移動する経路を移動軌跡として定義するが、以下の各実施例も同様である。
【００４２】
また、図面には標準マトリックスの画素アレイを例にして説明するが、ほかの画素アレイの形態で配列されてもよく、たとえば三角形の画素アレイ（Δ）である場合、隣接する３つのサブ画素がそれぞれ、たとえば正三角形の３つの頂点に配置されることを当業者に理解すべきである。
【００４３】
たとえば、図４Ａ及び図４Ｂに示すように、図４Ｂに示す移動可能領域１０２内の画素点ａにあるサブ画素は、Ｘ軸の方向に向かって２個の画素歩幅で移動して画素点ｂに到達する。即ち、Ｘ軸の方向は第１方向であり、Ｍは、Ｍ＝２であり、移動可能領域１０２は、図４Ｂに示す第１位置から図４Ｃに示す矢印１の方向に沿って図４Ｃに示す第２位置までに移動する。たとえば、この例では、上記第１位置と第２位置は、隣接する２フレームの表示画像が位置する位置である。なお、上記第１位置は、初期位置であってもよく、ほかの位置であってもよい。もちろん、第１方向は、ほかの方向、たとえば、Ｙ軸の方向などとしてもよい。なお、移動する画素歩幅Ｍは、ほかの値、たとえば、Ｍ＝１などであってもよく、本開示の実施例では、それについて限定せず、以下の実施例も同様であるため、重複する説明を省略する。
【００４４】
なお、上記移動可能領域は、図４Ａに矢印付き破線で示されるａｂ１及びａｂ２の方向に沿って移動してもよいが、本開示の実施例では、それについて制限しない。
【００４５】
たとえば、上記移動可能領域は、初期位置Ｏから矢印Ｏａの方向に沿って少なくとも１つの画素歩幅で移動した後、それと交差する矢印ａｂ又は破線矢印ａｂ１又はａｂ２の方向に沿って少なくとも１つの画素歩幅で移動し、さらに矢印ａｂ又は破線矢印ａｂ１又はａｂ２と交差し且つ矢印Ｏａの方向と反対側の方向に沿って少なくとも１つの画素歩幅で移動し、このように続けると、画像を回転させる。
【００４６】
ステップＳ１２０では、移動可能領域が第１位置にあるときの画像表示領域に表示された表示画像の第１画像特徴値を取得する。
【００４７】
たとえば、図５に示す例では、上記画像表示領域は、画像表示領域の全体の一部であってもよく、たとえば、図４Ｂ又は図４Ｃに示す場合、画像表示領域１０３は移動可能領域１０２の一部である。図６又は図７に示す例では、上記画像表示領域は、画像表示領域の全体（即ち、表示画面１０１）であってもよい。
【００４８】
たとえば、図５に示す例では、上記第１画像特徴値は、移動可能領域１０２が第１位置にあるときの画像表示領域１０３に表示された表示画像の総輝度であり、上記第１位置は、たとえば、画像回転中に移動可能領域１０２が移動された図４Ｂに示す位置である。たとえば、図６又は図７に示す例では、上記第１画像特徴値は、移動可能領域１０２が第１位置にあるときの画像表示領域の全体（即ち、表示画面１０１）に表示された表示画像の総輝度である。画像表示領域内のサブ画素のそれぞれはその表示グレースケールに対して一つの対応する輝度値があるため、たとえば、対応した画像表示領域内のサブ画素のそれぞれのグレースケールに対応する輝度値の和を計算して第１画像特徴値を取得することができる。なお、第１画像特徴値は、移動可能領域１０２が第１位置にあるときの画像表示領域に表示された表示画像の総グレースケール値であってもよい。本開示の実施例では、それについて制限せず、同一の方法の各ステップで「画像特徴値」についての定義が同じであればよい。
【００４９】
ステップＳ１３０では、移動可能領域が第２位置にあるときの画像表示領域に表示された表示画像の第２画像特徴値を取得する。
【００５０】
たとえば、図５に示す例では、上記第２画像特徴値は、移動可能領域１０２が第２位置にあるときの画像表示領域１０３に表示された表示画像の総輝度であり、上記第２位置は、たとえば、移動可能領域１０２が画像回転中に移動された図４Ｃに示す位置である。たとえば、図６又は図７に示す例では、上記第２画像特徴値は、移動可能領域１０２が第２位置にあるときの画像表示領域の全体に表示された表示画像の総輝度である。同様に、画像表示領域内のサブ画素のそれぞれは表示グレースケールに対して１つの対応する輝度値があるため、たとえば、対応した画像表示領域内のサブ画素のそれぞれのグレースケールに対応する輝度値の和を計算して第２画像特徴値を取得することができる。なお、第２画像特徴値は、移動可能領域１０２が第２位置にあるときの画像表示領域に表示された表示画像の総グレースケール値であってもよい。本開示の実施例では、それについて制限しない。
【００５１】
たとえば、上記第１画像特徴値及び第２画像特徴値は、ＯＬＥＤ表示パネルのメモリに記憶されてもよく、必要に応じてＯＬＥＤ表示パネルによって上記メモリから読み取ることができる。メモリは、１つ又は複数のコンピュータプログラム製品を含んでもよく、該コンピュータプログラム製品は、さまざまな形態のコンピュータ読み取り可能な記憶媒体を含んでもよい。たとえば、コンピュータ読み取り可能な記憶媒体は、揮発性メモリ及び／又は不揮発性メモリ、たとえば磁気記憶媒体、半導体記憶媒体などであってもよい。上記メモリは単独で提供されてもよいし、たとえばドライバチップに含まれてもよい。
【００５２】
ステップＳ１４０では、第１画像特徴値と第２画像特徴値とに基づいて、画像表示領域に表示された表示画像が静止画であるか否かを判断する。
【００５３】
たとえば、図５、図６及び図７は、それぞれ上記画像表示領域に表示された表示画像が静止画であるか否かを判断するための具体的な方法を示しており、上記判断方法について、以下詳細に説明する。
【００５４】
なお、画像回転後において画像表示領域に表示された表示画像が非静止画である場合、残像が生じることがなく、ディスプレイへの損傷をもたらすこともなく、画像回転後において画像表示領域に表示された表示画像が静止画である場合、この画像表示領域の表示輝度を低下させることで残像をなくす又は軽減させて、残像によるディスプレイへの損傷を回避又は軽減させ、ディスプレイの耐用年数を延ばすことができる。以下の実施例では、同様であるため、重複する説明を省略する。
【００５５】
なお、本開示の各実施例における各ステップは、中央処理装置（ＣＰＵ）、又はデータ処理能力及び／又は指令実行能力を有するほかの形態の処理ユニットによって実現されてもよい。たとえば、上記処理ユニットは、汎用プロセッサ又は専用プロセッサであってもいし、Ｘ８６又はＡＲＭアーキテクチャに基づくプロセッサなどであってもよい。以下の実施例では、同様であるため、重複する説明を省略する。
【００５６】
図５は、本開示の一実施例の一例による静止画の判断方法のフローチャートである。つまり、図５は、図２に示すステップＳ１４０の一例の操作フローチャートである。たとえば、この例では、画像表示領域は、移動可能領域１０２の、画像回転中に表示画面１０１から終始はみ出ない部分、即ち、図４Ｂ又は図４Ｃに示す画像表示領域１０３である。
【００５７】
図５に示すように、この静止画の判断方法は、ステップＳ１４１１及びステップＳ１４１２を含む。
【００５８】
ステップＳ１４１１では、第１画像特徴値と第２画像特徴値とが等しいか否かを判断する。第１画像特徴値と第２画像特徴値とが等しい場合、ステップＳ１４１２を実行する。
【００５９】
たとえば、上記第１画像特徴値は、移動可能領域１０２が第１位置にあるときの画像表示領域１０３に表示された表示画像の総輝度であり、上記第２画像特徴値は、移動可能領域１０２が第２位置にあるときの画像表示領域１０３に表示された表示画像の総輝度である。たとえば、この例では、第１画像特徴値及び第２画像特徴値は、それぞれ隣接する２フレームの表示画像の画像表示領域１０３での総輝度である。
【００６０】
たとえば、第１画像特徴値と第２画像特徴値とが等しいことは、回転後において前後２フレームの表示画像の輝度値が完全に同じであることを意味するため、画像表示領域に表示された表示画像が静止画であると決定する。
【００６１】
ステップＳ１４１２では、画像表示領域に表示された表示画像を静止画であると決定する。
【００６２】
たとえば、第１画像特徴値と第２画像特徴値とが等しい場合、画像表示領域１０３に表示された表示画像が静止画であると決定する。このような場合、上記画像表示領域の表示輝度を低下させることで、残像をなくす又は軽減させることができる。
【００６３】
したがって、この例では、静止画を判断するための領域が合理的に選択されること、及び画像の回転状態で存在している静止画が判断されることで、画像の回転状態でディスプレイに現れる残像を回避して、残像によるディスプレイへの損傷を回避し、ディスプレイの耐用年数を延ばすことができる。
【００６４】
図６は、本開示の一実施例の別の例による静止画の判断方法のフローチャートである。つまり、図６は、図２に示すステップＳ１４０の別の例の操作フローチャートである。たとえば、この例では、第１画像特徴値と第２画像特徴値はそれぞれ隣接する２フレームの表示画像の総輝度であり、即ち、移動可能領域１０２における第１位置及び第２位置は隣接する位置である。たとえば、この例では、上記画像表示領域は、画像表示領域の全体（即ち、表示画面１０１）として示される。
【００６５】
図６に示すように、この静止画の判断方法は、ステップＳ１４２１〜ステップＳ１４２５を含む。
【００６６】
ステップＳ１４２１では、しきい値パラメータを設定する。
【００６７】
たとえば、移動可能領域１０２が第１方向に沿って移動する最大歩幅がｎ（ｎは０より大きい整数である）行又はｎ列の画素である場合、しきい値パラメータは、最大歩幅と画像表示領域内の各行又は各列の画素の平均画像特徴値との積である。たとえば、画像表示領域内の表示画像のヒストグラムを統計して画像表示領域の全体内の各行又は各列の画素の平均画像特徴値を取得することができる。たとえば、上記平均画像特徴値は、表示画像の平均輝度値である。たとえば、移動可能領域１０２は、回転するたびに第１方向に沿って移動する最大歩幅が２行の画素であり、また、上記画像表示領域の全体には、たとえば合計２１６０行の画素があり、この場合、この２行の画素の平均輝度値をしきい値パラメータとすることができる。たとえば、上記しきい値パラメータＡは、以下のように表され得る。
【数１】
2021518000.tif 000003
Ｌｕｍ１は、移動可能領域１０２が第１位置にあるときの画像表示領域の全体に表示された表示画像の総輝度であり、即ち、移動可能領域１０２が第１位置にあるときの画像表示領域の全体に表示された表示画像の第１画像特徴値である。
【００６８】
なお、移動可能領域１０２が第１方向に沿って移動する最大歩幅がｎ行又はｎ列の画素である場合、上記移動可能領域１０２の移動したｎ行又はｎ列の画素の輝度値をしきい値パラメータＡとしてもよい。たとえば、上記ｎ行又はｎ列の画素の輝度値は、元の表示画像における上記ｎ行又はｎ列の画素のグレースケールに対応する輝度値を合計して取得することができる。たとえば、移動可能領域１０２が回転するたびに第１方向に沿って移動する最大歩幅が２行の画素である場合、元の表示画像におけるこの２行の画素の輝度値をしきい値パラメータＡとすることができる。本開示の実施例では、それについて制限しない。
【００６９】
なお、フレームによって表示画像の総輝度が異なる場合があるため、しきい値パラメータＡを計算するための第１画像特徴値Ｌｕｍ１が小さくなることを回避するために、しきい値パラメータを計算する際には、たとえば、２／２１６０＜１／１０２４のため、このしきい値パラメータＡをＡ＝Ｌｕｍ１＊（１／１０２４）としてもよい。それにより、静止画に対する判断の正確性が確保される。なお、移動可能領域１０２が回転するたびに第１方向に沿って移動する最大歩幅は、状況に応じて決定されるので、本開示の実施例では、それについて制限しない。
【００７０】
ステップＳ１４２２では、第１画像特徴値と第２画像特徴値との差の絶対値を計算する。
たとえば、第１画像特徴値と第２画像特徴値との差の絶対値は、以下のように表され得る。
【数２】
2021518000.tif 000004
Ｌｕｍ２は、移動可能領域１０２が第２位置にあるときの画像表示領域の全体に表示された表示画像の総輝度であり、即ち、移動可能領域１０２が第２位置にあるときの画像表示領域の全体に表示された表示画像の第２画像特徴値である。
【００７１】
たとえば、上記第１画像特徴値と第２画像特徴値との差Ｂは、移動可能領域１０２が図４Ｂに示す第１位置から図４Ｃに示す第２位置までに回転する場合の画像表示領域の全体における表示画像の輝度の変化である。
【００７２】
ステップＳ１４２３では、この差の絶対値がしきい値パラメータよりも大きいか否かを判断する。この差の絶対値がしきい値パラメータよりも大きい場合、ステップＳ１４２４を実行し、この差の絶対値がしきい値パラメータよりも大きくない場合、ステップＳ１４２５を実行する。
【００７３】
たとえば、ステップ１４２２で取得した第１画像特徴値と第２画像特徴値との差の絶対値Ｂを、ステップＳ１４２１で取得したしきい値パラメータＡと比較する。
【００７４】
たとえば、差の絶対値Ｂがしきい値パラメータＡよりも大きいことは、移動可能領域１０２が第１位置から第２位置までに回転する場合の表示画像に生じる輝度の変化が、回転前において表示画像内の最大歩幅（たとえば回転移動時の最大歩幅）の画素における輝度値よりも大きいと意味する。すなわち、画像回転後において前後２フレームの表示画像には大きな変化が生じる。そのため、前記画像表示領域１０３に表示された表示画像が非静止画であると決定する。
【００７５】
たとえば、差の絶対値Ｂがしきい値パラメータＡ以下であることは、画像表示領域１０３に表示された表示画像が第１位置から第２位置までに回転する場合の表示画像に生じる輝度の変化が、回転前において表示画像の最大歩幅（たとえば回転移動時の最大歩幅）の画素における輝度値以下であると意味する。すなわち、画像回転後において、前後２フレームの表示画像にはほぼ大きな変化がない。そのため、前記画像表示領域１０３に表示された表示画像が静止画であると決定され、前記画像表示領域の輝度を低下させることで、画像の回転状態でディスプレイに現れる残像を回避することができる。それにより、残像によるディスプレイへの損傷が回避され、ディスプレイの耐用年数を延ばさせることができる。
【００７６】
ステップＳ１４２４では、画像表示領域に表示された表示画像が非静止画であると決定する。
【００７７】
ステップＳ１４２５では、画像表示領域に表示された表示画像が静止画であると決定する。
【００７８】
たとえば、上記しきい値パラメータＡ及び差の絶対値Ｂは、ＯＬＥＤ表示パネルのメモリに記憶されてもよいが、必要に応じてＯＬＥＤ表示パネルによって上記メモリから読み取ることができる。メモリは、１つ又は複数のコンピュータプログラム製品を含んでもよく、前記コンピュータプログラム製品は、さまざまな形態のコンピュータ読み取り可能な記憶媒体を含んでもよい。前記コンピュータ読み取り可能な記憶媒体は、たとえば揮発性メモリ及び／又は不揮発性メモリ、たとえば磁気記憶媒体、半導体記憶媒体などであってもよい。
【００７９】
図７は、本開示の一実施例の別の例による静止画の判断方法のフローチャートである。つまり、図７は、図２に示すステップＳ１４０の別の例の操作フローチャートである。たとえば、この例では、少なくとも２つの移動周期を含む。たとえば、上記移動周期は、移動可能領域１０２が第１位置から移動され再びこの第１位置に戻るのにかかる時間を含む。たとえば、この例では、第Ｎ（Ｎは０より大きい整数である）の移動周期と第Ｎ＋１の移動周期とを含む。たとえば、各移動周期は、Ｘ（Ｘは０より大きい整数である）フレームの表示画像、即ち、移動可能領域１０２がそれぞれＸ個の異なる位置にあるときの画像表示領域に表示された表示画像を含む。たとえば、第Ｎ＋１の移動周期内の第ｘ（ｘは０より大きく且つＸ以下の整数である）フレームの表示画像が位置される移動可能領域の位置と第Ｎの移動周期内の第ｘフレームの表示画像が位置される移動可能領域の位置とが同じである。たとえば、この例では、画像表示領域は、画像表示領域の全体（即ち、表示画面１０１）として示される。
【００８０】
この例では、第Ｎの移動周期内の第ｘフレームの表示画像が位置される移動可能領域の位置は、移動可能領域が位置する第１位置を示し、第Ｎ＋１の移動周期内の第ｘフレームの表示画像が位置される移動可能領域の位置は、移動可能領域が位置する第２位置を示す。また、この例では、第Ｎの移動周期において移動可能領域１０２が位置する第１位置と、第Ｎ＋１の移動周期において移動可能領域１０２が位置する第２位置とは、同じである。この例では、第１画像特徴値は、第Ｎの移動周期内の第ｘフレームの表示画像の輝度値を示し、第２画像特徴値は、第Ｎ＋１の移動周期内の第ｘフレームの表示画像の輝度値を示す。
【００８１】
なお、各周期内に複数のフレームの表示画像が含まれているため、計算の便宜上、１つの周期内から複数のフレームの表示画像を任意に選択して画像特徴値を計算することができ、たとえばＸ＝４の場合、第Ｎの移動周期と第Ｎ＋１の移動周期とからそれぞれ４フレームの表示画像が選択され、たとえば、各周期からそれぞれ図８Ａ〜図８Ｄに示す４つの限界位置にある表示画像が選択される。たとえば、図８Ａは、移動可能領域１０２が表示画面の左上隅に移動した模式図であり、図８Ｂは、移動可能領域１０２が表示画面の左下隅に移動した模式図であり、図８Ｃは、移動可能領域１０２が表示画面の右下隅に移動した模式図であり、図８Ｄは、移動可能領域１０２が表示画面の右上隅に移動した模式図である。
【００８２】
図７に示すように、この静止画の判断方法は、ステップＳ１４３１〜ステップＳ１４３３を含む。
【００８３】
ステップＳ１４３１では、第Ｎの移動周期内の各フレ ームの表示画像の画像特徴値と第Ｎ＋１の移動周期内の各フレームの表示画像の画像特徴値とが１対１に対応して等しいか否かを判断する。等しい場合、ステップＳ１４３２を実行し、等しくない場合、ステップＳ１４３３を実行する。
【００８４】
たとえば、前記第Ｎの移動周期内の各フレームの表示画像の画像特徴値は、フレーム輝度キューに格納され、第Ｎ＋１の移動周期内の各フレームの表示画像の画像特徴値は、別のフレーム輝度キューに格納される。たとえば、上記同じ仕様である２つのフレーム輝度キューにおける画像特徴値を１つずつ比較することにより、第Ｎの移動周期と第Ｎ＋１の移動周期内の各フレームの表示画像の画像特徴値が１対１に対応して等しいか否かを判断する。
【００８５】
たとえば、第Ｎの移動周期の各フレームの表示画像の画像特徴値と第Ｎ＋１の移動周期内の各フレームの表示画像の画像特徴値が１対１に対応して等しい場合、該表示画像が前後２つの移動周期内において変化しないことを示すので、静止画であると決定する。第Ｎの移動周期内の各フレームの表示画像の画像特徴値と第Ｎ＋１の移動周期内の各フレームの表示画像の画像特徴値がいずれも１対１に対応して等しいのではない場合、たとえば第Ｎ＋１の移動周期内の第ｘフレームの表示画像の画像特徴値と第Ｎの移動周期内の第ｘフレームの表示画像の画像特徴値が等しくない場合、該表示画像が前後２つの移動周期内においてに変化したことを示すので、非静止画であると決定する。
【００８６】
たとえば、画像表示領域に表示された表示画像が静止画である場合、該画像表示領域の輝度を低下させることで残像をなくす。そして、残像によるディスプレイへの損傷を回避し、ディスプレイの耐用年数を延ばす。
【００８７】
ステップＳ１４３２では、画像表示領域に表示された表示画像が静止画であると決定する。
【００８８】
ステップＳ１４３３では、画像表示領域に表示された表示画像が非静止画であると決定する。
【００８９】
本開示の一実施例は、本開示の実施例の上記表示画像処理方法を実行するように構成される表示画像処理装置をさらに提供する。たとえば、該表示画像処理装置１０は、ソフトウェア、ファームウェア、ハードウェア又はこれらの任意の組み合わせにより実現できる。図９は、本開示の一実施例による表示画像処理装置１０の一例の模式的なブロック図である。たとえば、図９に示す表示画像処理装置１０は、プロセッサ１１、メモリ１２及び１つ又は複数のコンピュータプログラムモジュール１２１を含み得る。たとえば、プロセッサ１１とメモリ１２とは、バスシステム１３を介して接続される。たとえば、１つ又は複数のコンピュータプログラムモジュール１２１は、メモリ１２に記憶され得る。たとえば、１つ又は複数のコンピュータプログラムモジュール１２１は、上記表示画像処理方法を実現することを実行するための指令を含む。たとえば、１つ又は複数のコンピュータプログラムモジュール１２１に含まれる指令は、プロセッサ１１により実行され得る。たとえば、バスシステム１３は、公知のシリアル通信バスやパラレル通信バスなどであってもよく、本開示の実施例では、それについて制限しない。なお、図９に示す表示画像処理装置１０の構成要素及び構造は、例示的なものに過ぎず、限定するものではなく、必要に応じて表示画像処理装置１０はほかの構成要素や構造を有してもよい。
【００９０】
表示画像処理装置１０の技術的効果については、本開示の実施例における表示画像の処理方法の技術的効果を参照すればよく、ここで重複する説明を省略する。
【００９１】
本開示の一実施例は、表示装置１をさらに提供する。該表示装置１は、本開示の実施例による表示画像処理装置１０のいずれか、たとえば、図９に示す表示画像処理装置１０を備える。図１０は、本開示の一実施例による表示装置１の模式的なブロック図である。たとえば、表示装置１は、図１０に示すように、プロセッサ１１、メモリ１２及び表示画像処理装置１０を備える。
【００９２】
たとえば、前記表示画像処理装置１０は、画像の回転状態で静止画が存在しているか否かを判断し、表示画面の輝度値を調整することができる。
【００９３】
たとえば、前記表示装置１は、ＯＬＥＤディスプレイ、マイクロＬＥＤディスプレイ、液晶ディスプレイ（ＬＣＤ）、シリコンベース液晶（ＬＣＯＳ）ディスプレイ、プラズマディスプレイ（ＰＤＰ）、電子ペーパーディスプレイなどであってもよく、本開示の実施例では、それについて制限しない。
【００９４】
たとえば、これらの構成要素は、バスシステム１３及び／又はほかの形態の結合機構（未図示）を介して相互接続される。たとえば、バスシステム１３は、公知のシリアル通信バス、パラレル通信バスなどであってもよく、本開示の実施例では、それについて制限しない。なお、図１０に示す表示装置１の構成要素及び構造は、例示的なものに過ぎず、限定するものではなく、必要に応じて表示装置１はほかの構成要素や構造を有してもよい。
【００９５】
たとえば、前記プロセッサ１１は、中央処理装置（ＣＰＵ）やデータ処理能力及び／又は指令実行能力を有するほかの形態の処理ユニットであってもよく、汎用プロセッサ又は専用プロセッサであってもよく、所望の機能を実現するように表示装置１のほかの構成要素を制御してもよい。メモリ１２は、１つ又は複数のコンピュータプログラム製品を含んでもよく、前記コンピュータプログラム製品は、さまざまな形態のコンピュータ読み取り可能な記憶媒体、たとえば揮発性メモリ及び／又は不揮発性メモリを含んでもよい。前記揮発性メモリは、たとえば、ランダム・アクセス・メモリ（ＲＡＭ）及び／又はキャッシュメモリ（ｃａｃｈｅ）などを含んでもよい。前記不揮発性メモリは、たとえば、読み取り専用メモリ（ＲＯＭ）、ハードディスク、フラッシュメモリなどを含んでもよい。コンピュータ読み取り可能な記憶媒体には、１つ又は複数のコンピュータプログラム指令が記憶されており、プロセッサ１１は、このプログラム指令を実行することで、本開示の実施例（プロセッサ１１により実現される）に要求される機能及び／又はほかの所望の機能、たとえば静止画に対する判断及び表示画像に対する処理などを実現できる。前記コンピュータ読み取り可能な記憶媒体には、各種のアプリケーションプログラムやデータ、たとえばしきい値パラメータ及びアプリケーションプログラムにより使用される及び／又は生成される各種のデータなどが記憶されてもよい。
【００９６】
なお、明瞭さの点から、前記表示装置は、その構成要素の全部を示していない。表示装置の必須な機能を実現するために、必要に応じてほかの未図示の構成要素を改良したり設置したりすることができ、本開示では、それについて制限しない。
【００９７】
表示装置１の技術的効果については、本開示の実施例による表示画像の処理方法の技術的効果を参照すればよく、ここで重複する説明を省略する。
【００９８】
本開示の一実施例は、記憶媒体２０をさらに提供する。たとえば、前記記憶媒体２０は、図１１に示すように、コンピュータ読み取り可能な指令を非一時的に記憶する。非一時的なコンピュータ読み取り可能な指令がコンピュータ（プロセッサを含む）により実行されると、本開示のいずれかの実施例による表示画像の処理方法が実行される。
【００９９】
たとえば、前記記憶媒体は、１つ又は複数のコンピュータ読み取り可能な記憶媒体が任意に組み合わせられてもよい。たとえば、そのうち１つのコンピュータ読み取り可能な記憶媒体は、輝度を調整するためのコンピュータ読み取り可能なプログラムコードを含むが、別のコンピュータ読み取り可能な記憶媒体は、静止画が存在しているか否かを判断するためのコンピュータ読み取り可能なプログラムコードを含む。たとえば、上記プログラムコードがコンピュータにより読み取られると、上記コンピュータ記憶媒体に記憶されたプログラムコードがコンピュータにより実行されることで、たとえば本開示のいずれかの実施例による表示画像の処理方法、たとえば静止画の判断及び輝度値の調整などの操作方法が実現される。
【０１００】
たとえば、記憶媒体は、スマートフォンのメモリカード、タブレットパソコンの記憶部材、パソコンのハードディスク、ランダム・アクセス・メモリ（ＲＡＭ）、読み取り専用メモリ（ＲＯＭ）、消去可能なプログラム可能な読み取り専用メモリ（ＥＰＲＯＭ）、ポータブルコンパクトディスク読み取り専用メモリ（ＣＤ−ＲＯＭ）、フラッシュメモリ、やこれらの任意の組み合わせを含むが、ほかの適用できる記憶媒体も含んでもよい。
【０１０１】
以下、注意すべき点がある。
（１）本開示の実施例の図面は、本開示の実施例に関する構造のみを示しており、ほかの構造は通常の設計を参照すればよい。
（２）矛盾しない限り、本開示の実施例及び実施例の構成要素を互いに組み合わせて新たな実施例を得ることができる。
【０１０２】
以上、本願の例示的な実施形態を説明したが、本願の特許範囲を限定するものではなく、本願の特許範囲は、添付の特許請求の範囲を準じて決められる。
【符号の説明】
【０１０３】
１  表示装置
１０  表示画像処理装置
１１  プロセッサ
１２  メモリ
１３  バスシステム
２０  記憶媒体
１０１  表示画面
１０２  移動可能領域
１０３  画像表示領域
１２１  コンピュータプログラムモジュール
２００  画像表示領域
【図１Ａ】
2021518000.tif 000005
【図１Ｂ】
2021518000.tif 000006
【図１Ｃ】
2021518000.tif 000007
【図２】
2021518000.tif 000008
【図３】
2021518000.tif 000009
【図４Ａ】
2021518000.tif 000010
【図４Ｂ】
2021518000.tif 000011
【図４Ｃ】
2021518000.tif 000012
【図５】
2021518000.tif 000013
【図６】
2021518000.tif 000014
【図７】
2021518000.tif 000015
【図８Ａ】
2021518000.tif 000016
【図８Ｂ】
2021518000.tif 000017
【図８Ｃ】
2021518000.tif 000018
【図８Ｄ】
2021518000.tif 000019
【図９】
2021518000.tif 000020
【図１０】
2021518000.tif 000021
【図１１】
2021518000.tif 000022
【国際調査報告】
2021518000.tif 000023
2021518000.tif 000024
2021518000.tif 000025
2021518000.tif 000026